(57)【要約】【課題】拡張現実コンテンツの提供による所定アイテムの販売促進効果をより高める。【解決手段】端末装置は、撮像部と、表示画面を備える表示部と、撮像部が撮像した画像に所定アイテムの画像が含まれる場合に、所定アイテムの画像を表示マーカーとして認識するマーカー認識部と、所定アイテムを識別する識別情報を当該所定アイテムから取得する識別情報取得部と、識別情報取得部が取得する識別情報に基づいて、コンテンツ記憶部から所定アイテムに関連付けられたコンテンツを取得するコンテンツ取得部と、マーカー認識部による表示マーカーの認識結果と、識別情報取得部が取得する識別情報とに基づいて、コンテンツ取得部が取得するコンテンツの表示可否を判定する表示判定部と、表示判定部の判定結果に基づいて、コンテンツ取得部が取得したコンテンツを表示部に表示させる表示制御部と、を備える。【選択図】図２
2020095523.tif 000002
【特許請求の範囲】
【請求項１】
撮像部と、
表示画面を備える表示部と、
前記撮像部が撮像した画像に所定アイテムの画像が含まれる場合に、前記所定アイテムの画像を表示マーカーとして認識するマーカー認識部と、
前記所定アイテムを識別する識別情報を当該所定アイテムから取得する識別情報取得部と、
前記識別情報取得部が取得する前記識別情報に基づいて、コンテンツ記憶部から前記所定アイテムに関連付けられたコンテンツを取得するコンテンツ取得部と、
前記マーカー認識部による前記表示マーカーの認識結果と、前記識別情報取得部が取得する前記識別情報とに基づいて、前記コンテンツ取得部が取得する前記コンテンツの表示可否を判定する表示判定部と、
前記表示判定部の判定結果に基づいて、前記コンテンツ取得部が取得した前記コンテンツを前記表示部に表示させる表示制御部と、
を備える端末装置。
【請求項２】
前記表示制御部は、
前記撮像部が撮像する前記所定アイテムの画像が前記表示画面に表示される場合の前記所定アイテムの画像の表示状態に応じた表示状態にして、前記コンテンツを前記表示画面に表示させる
請求項１に記載の端末装置。
【請求項３】
前記表示判定部は、
前記撮像部が撮像した画像に前記所定アイテムの画像が含まれなくなった場合には、前記コンテンツの表示を禁止する
請求項１又は請求項２に記載の端末装置。
【請求項４】
前記表示判定部は、
判定対象の前記コンテンツが、前記マーカー認識部が過去に認識した前記所定アイテムに関する前記コンテンツである場合には、前記撮像部が撮像した画像に当該所定アイテムの画像が含まれなくなった場合においても、前記コンテンツの表示を許可する
請求項１又は請求項２に記載の端末装置。
【請求項５】
前記所定アイテムには、互いの表示順序が予め定められている複数の前記コンテンツが関連付けられており、
前記表示制御部は、
複数の前記コンテンツの前記表示順序に基づいて、前記コンテンツを表示させる
請求項１から請求項４のいずれか一項に記載の端末装置。
【請求項６】
前記識別情報には、前記表示順序を示す順序情報が含まれ、
前記所定アイテムには、前記順序情報を書き換え可能に記憶する記憶部が備えられ、
前記識別情報取得部が取得する前記識別情報に含まれる前記順序情報を更新した更新後順序情報を、前記所定アイテムに対して送信することにより前記記憶部に更新後の前記順序情報として記憶させる順序情報更新部
をさらに備える請求項５に記載の端末装置。
【請求項７】
撮像部と表示部とを備える端末装置のコンピュータに、
前記撮像部が撮像した画像に所定アイテムの画像が含まれる場合に、前記所定アイテムの画像を表示マーカーとして認識するマーカー認識ステップと、
前記所定アイテムを識別する識別情報を当該所定アイテムから取得する識別情報取得ステップと、
前記識別情報取得ステップにおいて取得される前記識別情報に基づいて、コンテンツ記憶部から前記所定アイテムに関連付けられたコンテンツを取得するコンテンツ取得ステップと、
前記マーカー認識ステップにおける前記表示マーカーの認識結果と、前記識別情報取得ステップにおいて取得される前記識別情報とに基づいて、前記コンテンツ取得ステップにおいて取得される前記コンテンツの表示可否を判定する表示判定ステップと、
前記表示判定ステップにおける判定結果に基づいて、前記コンテンツ取得ステップにおいて取得された前記コンテンツを前記表示部に表示させる表示制御ステップと、
を実行させるためのプログラム。
【発明の詳細な説明】
【技術分野】
【０００１】
本発明は、端末装置及びプログラムに関する。
【背景技術】
【０００２】
従来、商品などの現実の物品に関連する画像を拡張現実（ＡＲ；Augmented Reality）画像として表示する技術が開示されている。例えば、特許文献１には、消費者が購入したキャラクタ商品のデザインと関連した拡張現実画像をスマートフォンの表示画面などに表示させる技術が開示されている。これらの拡張現実画像は、商品などの現実の物品の販売促進を目的として提供されることがあった。
【先行技術文献】
【特許文献】
【０００３】
【特許文献１】特開２０１７−０１０５７８号公報
【発明の概要】
【発明が解決しようとする課題】
【０００４】
しかしながら、特許文献１に示すような技術によると、販売促進対象の物品の模倣品や当該物品の写真画像をＡＲ装置に提示した場合、ＡＲ装置がこれら模倣品や写真画像を当該物品と誤認して、当該物品に関する拡張現実画像が表示される場合があった。この場合には、当該物品の現物が手元になくても拡張現実画像が提供されることになるため、当該物品の販売促進に必ずしも繋がらないという課題があった。
【課題を解決するための手段】
【０００５】
本発明の一実施形態は、撮像部と、表示画面を備える表示部と、前記撮像部が撮像した画像に所定アイテムの画像が含まれる場合に、前記所定アイテムの画像を表示マーカーとして認識するマーカー認識部と、前記所定アイテムを識別する識別情報を当該所定アイテムから取得する識別情報取得部と、前記識別情報取得部が取得する前記識別情報に基づいて、コンテンツ記憶部から前記所定アイテムに関連付けられたコンテンツを取得するコンテンツ取得部と、前記マーカー認識部による前記表示マーカーの認識結果と、前記識別情報取得部が取得する前記識別情報とに基づいて、前記コンテンツ取得部が取得する前記コンテンツの表示可否を判定する表示判定部と、前記表示判定部の判定結果に基づいて、前記コンテンツ取得部が取得した前記コンテンツを前記表示部に表示させる表示制御部と、を備える端末装置である。
【０００６】
本発明の一実施形態は、上述の端末装置において前記表示制御部は、前記撮像部が撮像する前記所定アイテムの画像が前記表示画面に表示される場合の前記所定アイテムの画像の表示状態に応じた表示状態にして、前記コンテンツを前記表示画面に表示させる。
【０００７】
本発明の一実施形態は、上述の端末装置において前記表示判定部は、前記撮像部が撮像した画像に前記所定アイテムの画像が含まれなくなった場合には、前記コンテンツの表示を禁止する。
【０００８】
本発明の一実施形態は、上述の端末装置において前記表示判定部は、判定対象の前記コンテンツが、前記マーカー認識部が過去に認識した前記所定アイテムに関する前記コンテンツである場合には、前記撮像部が撮像した画像に当該所定アイテムの画像が含まれなくなった場合においても、前記コンテンツの表示を許可する。
【０００９】
本発明の一実施形態は、上述の端末装置において前記所定アイテムには、互いの表示順序が予め定められている複数の前記コンテンツが関連付けられており、前記表示制御部は、複数の前記コンテンツの前記表示順序に基づいて、前記コンテンツを表示させる。
【００１０】
本発明の一実施形態は、上述の端末装置において前記識別情報には、前記表示順序を示す順序情報が含まれ、前記所定アイテムには、前記順序情報を書き換え可能に記憶する記憶部が備えられ、前記識別情報取得部が取得する前記識別情報に含まれる前記順序情報を更新した更新後順序情報を、前記所定アイテムに対して送信することにより前記記憶部に更新後の前記順序情報として記憶させる順序情報更新部をさらに備える。
【００１１】
本発明の一実施形態は、撮像部と表示部とを備える端末装置のコンピュータに、前記撮像部が撮像した画像に所定アイテムの画像が含まれる場合に、前記所定アイテムの画像を表示マーカーとして認識するマーカー認識ステップと、前記所定アイテムを識別する識別情報を当該所定アイテムから取得する識別情報取得ステップと、前記識別情報取得ステップにおいて取得される前記識別情報に基づいて、コンテンツ記憶部から前記所定アイテムに関連付けられたコンテンツを取得するコンテンツ取得ステップと、前記マーカー認識ステップにおける前記表示マーカーの認識結果と、前記識別情報取得ステップにおいて取得される前記識別情報とに基づいて、前記コンテンツ取得ステップにおいて取得される前記コンテンツの表示可否を判定する表示判定ステップと、前記表示判定ステップにおける判定結果に基づいて、前記コンテンツ取得ステップにおいて取得された前記コンテンツを前記表示部に表示させる表示制御ステップと、を実行させるためのプログラムである。
【発明の効果】
【００１２】
本発明によれば、拡張現実コンテンツの提供による所定アイテムの販売促進効果をより高めることができる端末装置及びプログラムを提供することができる。
【図面の簡単な説明】
【００１３】
【図１】第１の実施形態の端末装置が提供する機能の概要の一例を示す図である。
【図２】本実施形態の端末装置の機能構成の一例を示す図である。
【図３】本実施形態のコンテンツ記憶部に記憶される情報の一例を示す図である。
【図４】本実施形態の端末装置の動作の流れの一例を示す図である。
【図５】本実施形態の表示制御部によるコンテンツの表示の一例を示す図である。
【図６】本実施形態の表示制御部によるコンテンツの表示の変形例を示す図である。
【図７】第２の実施形態の端末装置の機能構成の一例を示す図である。
【図８】本実施形態の端末装置と所定アイテムとの間の通信動作の一例を示す図である。
【発明を実施するための形態】
【００１４】
［第１の実施形態］
以下、図面を参照して第１の実施形態に係る端末装置１０について説明する。
【００１５】
［端末装置１０の概要］
図１は、本実施形態の端末装置１０が提供する機能の概要の一例を示す図である。端末装置１０とは、例えば、スマートフォンやタブレットなどの可搬型装置である。端末装置１０は、撮像部２００と表示部５００とを備えている。撮像部２００は、カメラなどの撮像デバイスを備えている。表示部５００は、液晶ディスプレイなどの表示画面ＤＰを備えており、種々の画像を表示可能である。
端末装置１０は、いわゆるＡＲ（Augmented Reality）機能を備えている。一例として、本実施形態の端末装置１０は、マーカー型のＡＲ機能を備えており、撮像部２００によって撮像された画像Ｐの中に所定の画像が含まれている場合に、この所定の画像を表示マーカーＭＫとして認識することにより、所定の画像に関連付けられているコンテンツＣＴを表示する。
【００１６】
本実施形態の端末装置１０は、所定アイテムＩＴを表示マーカーＭＫとして認識する。所定アイテムＩＴとは、コンテンツＣＴが予め対応付けられているものであれば、どのようなものであってもよい。例えば、所定アイテムＩＴには、キーホルダーなどの雑貨、文房具、ＣＤ、ＤＶＤ、コンサートのチケット、コンサート会場で販売されるグッズ（いわゆるアーティストのオフィシャルグッズ）などが広く含まれる。
本実施形態の所定アイテムＩＴは、フラッシュＲＯＭなどの記憶部ＦＭと、無線通信部（不図示）とを備えており、端末装置１０との間において情報の授受が可能である。
この端末装置１０の機能構成について、図２を参照して説明する。
【００１７】
［端末装置１０の機能構成］
図２は、本実施形態の端末装置１０の機能構成の一例を示す図である。端末装置１０は、上述した撮像部２００及び表示部５００の他に、制御部１００と、近距離通信部３００と、ネットワーク通信部４００とを備える。
近距離通信部３００は、所定アイテムＩＴとの間において近距離無線通信を行う。近距離通信部３００は、端末装置１０の周囲に所定アイテムＩＴが存在する場合に、所定アイテムＩＴとの間において通信を行い、所定アイテムＩＴの記憶部ＦＭに記憶されている識別情報ＩＩＤを取得する。
【００１８】
制御部１００は、例えば、ＣＰＵなどの演算デバイスを備えており、マーカー認識部１１０と、識別情報取得部１２０と、コンテンツ取得部１３０と、表示判定部１４０と、表示制御部１５０とを、そのソフトウエア機能部として備える。
マーカー認識部１１０は、撮像部２００が撮像した画像Ｐに所定アイテムＩＴの外観を示す画像が含まれる場合に、この所定アイテムＩＴの外観の画像を表示マーカーＭＫとして認識する。以下の説明において所定アイテムＩＴの外観の画像を、単にアイテム画像ＰＩＴとも記載する。
【００１９】
識別情報取得部１２０は、近距離通信部３００が所定アイテムＩＴから受信した識別情報ＩＩＤを取得する。すなわち、識別情報取得部１２０は、所定アイテムＩＴを識別する識別情報ＩＩＤを当該所定アイテムＩＴから取得する。
コンテンツ取得部１３０は、識別情報取得部１２０が取得した識別情報ＩＩＤをネットワーク通信部４００に出力する。
ネットワーク通信部４００は、コンテンツ記憶部２０との間において通信（無線通信又は有線通信）を行う。ネットワーク通信部４００は、コンテンツ取得部１３０から出力された識別情報ＩＩＤをコンテンツ記憶部２０に送信することにより、コンテンツＣＴを取得する。
【００２０】
具体的には、コンテンツ記憶部２０とは、例えばクラウドサーバなどを構成するサーバ装置に実装される記憶部である。コンテンツ記憶部２０には、アイテム−コンテンツ対応テーブルＴＢが記憶されている。このアイテム−コンテンツ対応テーブルＴＢの一例について、図３を参照して説明する。
【００２１】
［アイテム−コンテンツ対応テーブルの一例］
図３は、本実施形態のコンテンツ記憶部２０に記憶される情報の一例を示す図である。コンテンツ記憶部２０には、アイテム−コンテンツ対応テーブルＴＢが記憶されている。アイテム−コンテンツ対応テーブルＴＢとは、アイテムＩＤと、コンテンツＩＤとを対応付ける情報である。このアイテムＩＤとは、所定アイテムＩＴを固有に識別する情報であり、識別情報ＩＩＤの一例である。例えば、第１の所定アイテムＩＴには「ＩＴ０１」がアイテムＩＤとして付与されている。第２の所定アイテムＩＴには「ＩＴ０２」がアイテムＩＤとして付与されている。コンテンツＩＤとは、コンテンツＣＴを固有に識別する情報である。一例として、コンテンツ記憶部２０には、コンテンツＩＤに紐づけられたコンテンツＣＴの情報（不図示）が記憶されている。端末装置１０は、コンテンツ記憶部２０に対して識別情報ＩＩＤを検索キーとして送信する。コンテンツ記憶部２０は、端末装置１０から受信した識別情報ＩＩＤによってアイテム−コンテンツ対応テーブルＴＢを検索し、検索の結果得られるコンテンツＣＴを、所定アイテムＩＴに対応するコンテンツＣＴとして、端末装置１０に送信する。
【００２２】
すなわち、コンテンツ取得部１３０は、識別情報取得部１２０が取得する識別情報ＩＩＤに基づいて、コンテンツ記憶部２０から所定アイテムＩＴに関連付けられたコンテンツＣＴを取得する。
【００２３】
表示判定部１４０は、マーカー認識部１１０による表示マーカーＭＫの認識結果と、識別情報取得部１２０が取得する識別情報ＩＩＤとに基づいて、コンテンツ取得部１３０が取得するコンテンツＣＴの表示可否を判定する。
【００２４】
表示制御部１５０は、表示判定部１４０の判定結果に基づいて、コンテンツ取得部１３０が取得したコンテンツＣＴを表示部５００に表示させる。
これら各部の動作の流れの一例について、図４を参照して説明する。
【００２５】
［端末装置１０の動作］
図４は、本実施形態の端末装置１０の動作の流れの一例を示す図である。
（ステップＳ１０）撮像部２００は、撮像画角内の風景を撮像し、撮像した画像Ｐをマーカー認識部１１０に出力する。
（ステップＳ２０）マーカー認識部１１０は、ステップＳ１０において撮像された画像Ｐに所定アイテムＩＴの画像Ｐ（アイテム画像ＰＩＴ）が含まれているか否かを判定する。マーカー認識部１１０は、アイテム画像ＰＩＴが含まれていると判定した場合には、このアイテム画像ＰＩＴを表示マーカーＭＫとして認識する。
【００２６】
（ステップＳ３０）識別情報取得部１２０は、近距離通信部３００を介して所定アイテムＩＴから識別情報ＩＩＤを取得する。識別情報取得部１２０は、取得した識別情報ＩＩＤをコンテンツ取得部１３０に出力する。
（ステップＳ４０）コンテンツ取得部１３０は、ネットワーク通信部４００を介してコンテンツ記憶部２０と通信を行い、コンテンツＣＴを取得する。具体的には、コンテンツ取得部１３０は、ステップＳ３０において取得された識別情報ＩＩＤを検索キーにして、コンテンツ記憶部２０に記憶されているコンテンツＣＴのうち、所定アイテムＩＴに関連付けられたコンテンツＣＴを取得する。
【００２７】
なお、本実施形態の一例では、ステップＳ１０及びステップＳ２０と、ステップＳ３０及びステップＳ４０とは並列実行されるとして説明するがこれに限られない。例えば、ステップＳ１０〜ステップＳ４０の各ステップは、ステップ数の順に順次実行されてもよい。またこの場合、ステップＳ３０及びステップＳ４０は、ステップＳ２０において表示マーカーＭＫが認識されたことを条件にして実行されてもよい。
【００２８】
（ステップＳ５０）表示判定部１４０は、ステップＳ４０において取得されたコンテンツＣＴの表示可否を判定する。
（ステップＳ６０）表示制御部１５０は、コンテンツＣＴの表示が禁止された場合（ステップＳ６０；ＮＯ）には、コンテンツＣＴを表示せずに処理を終了する。表示制御部１５０は、表示判定部１４０による判定の結果、コンテンツＣＴの表示が許可された場合（ステップＳ６０；ＹＥＳ）には、コンテンツＣＴを表示する（ステップＳ７０）。図５を参照してコンテンツＣＴの表示の一例について説明する。
【００２９】
図５は、本実施形態の表示制御部１５０によるコンテンツＣＴの表示の一例を示す図である。表示制御部１５０は、表示画面ＤＰにアイテム画像ＰＩＴと、コンテンツＣＴとを表示させる。
なお、同図には、アイテム画像ＰＩＴの表示位置と、コンテンツＣＴとの表示位置とが一致していない場合を一例として示すが、これに限られない。例えば、表示制御部１５０は、コンテンツＣＴの表示位置を、アイテム画像ＰＩＴの表示位置に重ねて（オーバーラップさせて）、コンテンツＣＴを表示させてもよい。この場合には、コンテンツＣＴが表示されることにより、表示画面ＤＰ上においてアイテム画像ＰＩＴが隠されてもよい。
【００３０】
また、表示制御部１５０は、アイテム画像ＰＩＴの表示画面ＤＰ上の表示状態（例えば、表示位置ＬＣや表示サイズＳＺ）に応じて、コンテンツＣＴの表示状態を変化させてもよい。例えば、アイテム画像ＰＩＴが表示画面ＤＰの画角いっぱいに表示されている場合には、表示制御部１５０は、コンテンツＣＴを表示画面ＤＰの画角いっぱいに表示させてもよい。また、アイテム画像ＰＩＴの表示位置ＬＣが表示画面ＤＰ内を移動している場合には、表示制御部１５０は、コンテンツＣＴの表示位置ＬＣをアイテム画像ＰＩＴの表示位置ＬＣの移動に合わせて移動させてもよい。
すなわち、表示制御部１５０は、撮像部２００が撮像するアイテム画像ＰＩＴが表示画面ＤＰに表示される場合のアイテム画像ＰＩＴの表示状態に応じた表示状態にして、コンテンツＣＴを表示画面ＤＰに表示させる。
【００３１】
［コンテンツＣＴの表示可否の判定条件］
ここで、上述したステップＳ５０における、表示判定部１４０による表示可否の判定条件の一例について説明する。
【００３２】
［判定条件（その１）：所定アイテムが撮像されている場合にのみ表示を許可する］
表示判定部１４０は、所定アイテムＩＴが撮像されている場合、すなわち、撮像された所定アイテムＩＴがマーカー認識部１１０によって表示マーカーＭＫとして認識されている場合にのみ、表示を許可する。
この場合、表示判定部１４０は、撮像部２００が撮像した画像Ｐにアイテム画像ＰＩＴが含まれなくなった場合には、コンテンツＣＴの表示を禁止する。
【００３３】
このように構成された端末装置１０によれば、端末装置１０の利用者の手元に所定アイテムＩＴがある場合にのみ、コンテンツＣＴを表示させることができる。
【００３４】
［判定条件（その２）：所定アイテムが撮像されなくなった場合においても表示を許可する］
図６は、本実施形態の表示制御部１５０によるコンテンツＣＴの表示の変形例を示す図である。図６（Ａ）には、時刻ｔ１において、所定アイテムＩＴが撮像されている場合のコンテンツＣＴの表示の一例を示す。図６（Ｂ）には、時刻ｔ１から時間が経過した時刻ｔ２において、所定アイテムＩＴが撮像されなくなった場合のコンテンツＣＴの表示の一例を示す。
この一例の場合、表示判定部１４０は、判定対象のコンテンツＣＴが、マーカー認識部１１０が過去に認識した所定アイテムＩＴに関するコンテンツＣＴである場合には、撮像部２００が撮像した画像Ｐに当該アイテム画像ＰＩＴが含まれなくなった場合においても、コンテンツＣＴの表示を許可する。
【００３５】
このように構成された端末装置１０によれば、端末装置１０の利用者の手元から所定アイテムＩＴが離れた場合においても、コンテンツＣＴを表示させることができる。
【００３６】
［第１の実施形態のまとめ］
以上説明したように、端末装置１０は、所定アイテムＩＴを撮像した場合に、撮像された所定アイテムＩＴに関連するコンテンツＣＴを表示させる、いわゆるＡＲ機能を備えている。ここで、本実施形態の端末装置１０は、コンテンツＣＴの表示を許可する条件として、所定アイテムＩＴから取得された識別情報ＩＩＤを利用する。具体的には、端末装置１０は、所定アイテムＩＴが撮像され、当該所定アイテムＩＴが表示マーカーＭＫであると認識されていたとしても、所定アイテムＩＴから識別情報ＩＩＤを取得することができない場合には、コンテンツＣＴの表示を許可しない。
【００３７】
従来のＡＲ機能を備えた装置においては、所定アイテムＩＴを表示マーカーＭＫとして認識した場合には、所定アイテムＩＴに関連するコンテンツＣＴを表示していた。ここで、この従来の装置によると、所定アイテムＩＴの模造品や所定アイテムＩＴの画像などと、所定アイテムＩＴの現品との区別ができない場合があり、この場合には、所定アイテムＩＴの現品が手元にない場合であっても、コンテンツＣＴを視聴することが可能となる。この場合、例えば、所定アイテムＩＴの販売を促進するためにコンテンツＣＴを提供するといったビジネスが展開されている場合に、所定アイテムＩＴの現品を入手しなくてもコンテンツＣＴを視聴することができてしまうと、コンテンツＣＴの提供が所定アイテムＩＴの販売促進につながらないといった問題が生じる。
【００３８】
上述したように、本実施形態の端末装置１０は、所定アイテムＩＴから識別情報ＩＩＤを取得できない場合には、所定アイテムＩＴが表示マーカーＭＫであると認識できた場合であってもコンテンツＣＴを表示させない。したがって、本実施形態の端末装置１０によれば、コンテンツＣＴの提供による所定アイテムＩＴの販売促進効果をより高めることができる。
【００３９】
［第２の実施形態］
図７を参照して、第２の実施形態の端末装置１０ａの機能構成について説明する。
図７は、第２の実施形態の端末装置１０ａの機能構成の一例を示す図である。なお、上述した第１の実施形態と同一の構成及び動作については、同一の符号を付してその説明を省略する。
本実施形態の端末装置１０ａは、ある所定アイテムＩＴについて複数のコンテンツＣＴが関連付けられおり、これら複数のコンテンツＣＴの表示順序ＯＤが定められている点において、上述した端末装置１０と異なる。
【００４０】
これら複数のコンテンツＣＴの一例としては、コンテンツＣＴが所定アイテムＩＴに関する全１０巻からなる漫画の画像がある。この場合、端末装置１０ａは、漫画の第１巻から第１０巻までを順次、コンテンツＣＴとして表示する。
すなわち、所定アイテムＩＴには、互いの表示順序ＯＤが予め定められている複数のコンテンツＣＴが関連付けられている。
この場合、表示制御部１５０は、複数のコンテンツＣＴの表示順序ＯＤに基づいて、コンテンツＣＴを表示させる。
【００４１】
このように構成された端末装置１０ａによれば、利用者にコンテンツＣＴを継続的に飽きさせることなく提示することができるため、コンテンツＣＴの提供による所定アイテムＩＴの販売促進効果をより高めることができる。
【００４２】
また、複数のコンテンツＣＴの順次表示を実現するために、端末装置１０ａは、次のように構成されていてもよい。端末装置１０ａは、制御部１００ａを備える。この制御部１００ａは、順序情報更新部１６０を備える。
この一例の場合、識別情報ＩＩＤには、表示順序ＯＤを示す順序情報ＩＯＤが含まれ、所定アイテムＩＴには、順序情報ＩＯＤを書き換え可能に記憶する記憶部ＦＭが備えられる。順序情報更新部１６０は、所定アイテムＩＴに記憶されている識別情報ＩＩＤの順序情報ＩＯＤを書き換えることにより、コンテンツＣＴの表示の順序を制御する。この端末装置１０ａの動作の一例について図８を参照して説明する。
【００４３】
図８は、本実施形態の端末装置１０ａと所定アイテムＩＴとの間の通信動作の一例を示す図である。
（ステップＳ２１０）端末装置１０ａは、上述したステップＳ１０及びステップＳ２０に相当する動作を行う。すなわち、撮像部２００は、撮像画角内の風景を撮像し、撮像した画像Ｐをマーカー認識部１１０に出力する。マーカー認識部１１０は、撮像された画像Ｐに所定アイテムＩＴの画像Ｐ（アイテム画像ＰＩＴ）が含まれているか否かを判定する。マーカー認識部１１０は、アイテム画像ＰＩＴが含まれていると判定した場合には、このアイテム画像ＰＩＴを表示マーカーＭＫとして認識する。
【００４４】
所定アイテムＩＴに関連付けられた複数のコンテンツＣＴのうちの第１番目のコンテンツＣＴ（例えば、漫画の第１巻目）を表示する場合の動作を説明する。
（ステップＳ２２０−１）端末装置１０ａは、上述したステップＳ３０及びステップＳ４０に相当する動作を行う。すなわち、識別情報取得部１２０は、所定アイテムＩＴから識別情報ＩＩＤを取得する。識別情報取得部１２０は、取得した識別情報ＩＩＤをコンテンツ取得部１３０に出力する。コンテンツ取得部１３０は、コンテンツ記憶部２０と通信を行い、コンテンツＣＴを取得する。
ここで、識別情報取得部１２０が所定アイテムＩＴから取得した識別情報ＩＩＤには、順序情報ＩＯＤが含まれている。この一例の場合、識別情報取得部１２０は、第１番目のコンテンツＣＴ（例えば、漫画の第１巻目）を示す順序情報ＩＯＤ（図示する表示順序ＯＤ＃１）を取得する。コンテンツ取得部１３０は、所定アイテムＩＴに関連付けられている複数のコンテンツＣＴのうち、第１番目のコンテンツＣＴをコンテンツ記憶部２０から取得する。
（ステップＳ２３０−１）順序情報更新部１６０は、識別情報取得部１２０が取得した順序情報ＩＯＤを更新した更新後順序情報を、所定アイテムＩＴに対して送信する。この一例において、識別情報取得部１２０が第１番目のコンテンツＣＴを示す順序情報ＩＯＤ（表示順序ＯＤ＃１）を取得している場合、順序情報更新部１６０は、順序情報ＩＯＤ（表示順序ＯＤ＃２）に更新して、所定アイテムＩＴに対して送信する。
（ステップＳ２４０−１）所定アイテムＩＴの記憶部ＦＭには、更新された順序情報ＩＯＤ（表示順序ＯＤ＃２）が記憶される。
（ステップＳ２５０−１）表示制御部１５０は、ステップＳ２４０−１においてコンテンツ記憶部２０から取得された第１番目のコンテンツＣＴを表示画面ＤＰに表示させる。
【００４５】
端末装置１０ａは、所定アイテムＩＴに関連付けられた複数のコンテンツＣＴのうちの第２番目のコンテンツＣＴを表示する場合（ステップＳ２２０−２〜ステップＳ２５０−２）以降においても、上述と同様に動作するため、その説明を省略する。
【００４６】
すなわち、順序情報更新部１６０は、識別情報取得部１２０が取得する識別情報ＩＩＤに含まれる順序情報ＩＯＤを更新した更新後順序情報を、所定アイテムＩＴに対して送信することにより記憶部ＦＭに更新後の順序情報ＩＯＤとして記憶させる。
【００４７】
このように構成された端末装置１０ａによれば、複数のコンテンツＣＴを継続的に視聴したいと考える利用者には、コンテンツＣＴを取得する毎に所定アイテムＩＴを手元に所持しておく必要が生じる。したがって、本実施形態の端末装置１０ａによれば、利用者の手元から所定アイテムＩＴを手放せないようにすることができるため、コンテンツＣＴの提供による所定アイテムＩＴの販売促進効果をより高めることができる。
【００４８】
以上、本発明の実施形態を、図面を参照して詳述してきたが、具体的な構成はこの実施形態に限られるものではなく、本発明の趣旨を逸脱しない範囲で適宜変更を加えることができる。
【００４９】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５０】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００５１】
１０、１０ａ…端末装置、１００、１００ａ…制御部、１１０…マーカー認識部、１２０…識別情報取得部、１３０…コンテンツ取得部、１４０…表示判定部、１５０…表示制御部、１６０…順序情報更新部、２００…撮像部、３００…近距離通信部、４００…ネットワーク通信部、５００…表示部、ＩＴ…所定アイテム、ＦＭ…記憶部、ＣＴ…コンテンツ
【図１】
2020095523.tif 000003
【図２】
2020095523.tif 000004
【図３】
2020095523.tif 000005
【図４】
2020095523.tif 000006
【図５】
2020095523.tif 000007
【図６】
2020095523.tif 000008
【図７】
2020095523.tif 000009
【図８】
2020095523.tif 000010
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
撮像部と、
表示画面を備える表示部と、
前記表示部に表示される表示順序を示す順序情報を書き換え可能に記憶する記憶部を備えるアイテムであって、互いの表示順序が予め定められている複数のコンテンツが関連付けられている所定アイテムの画像が、前記撮像部が撮像した画像に含まれる場合に、前記所定アイテムの画像を表示マーカーとして認識するマーカー認識部と、
前記順序情報が含まれ前記所定アイテムを識別する識別情報を当該所定アイテムから取得する識別情報取得部と、
前記識別情報取得部が取得する前記識別情報に基づいて、コンテンツ記憶部から前記所定アイテムに関連付けられたコンテンツを取得するコンテンツ取得部と、
前記マーカー認識部による前記表示マーカーの認識結果と、前記識別情報取得部が取得する前記識別情報とに基づいて、前記コンテンツ取得部が取得する前記コンテンツの表示可否を判定する表示判定部と、
前記表示判定部の判定結果と、前記識別情報取得部が取得した前記識別情報に含まれる前記順序情報が示す複数の前記コンテンツの前記表示順序とに基づいて、前記コンテンツ取得部が取得した前記コンテンツを前記表示部に表示させる表示制御部と、
前記識別情報取得部が取得する前記識別情報に含まれる前記順序情報を更新した更新後順序情報を、前記所定アイテムに対して送信することにより前記記憶部に更新後の前記順序情報として記憶させる順序情報更新部と、
を備える端末装置。
【請求項２】
前記表示制御部は、
前記撮像部が撮像する前記所定アイテムの画像が前記表示画面に表示される場合の前記所定アイテムの画像の表示状態に応じた表示状態にして、前記コンテンツを前記表示画面に表示させる
請求項１に記載の端末装置。
【請求項３】
前記表示判定部は、
前記撮像部が撮像した画像に前記所定アイテムの画像が含まれなくなった場合には、前記コンテンツの表示を禁止する
請求項１又は請求項２に記載の端末装置。
【請求項４】
前記表示判定部は、
判定対象の前記コンテンツが、前記マーカー認識部が過去に認識した前記所定アイテムに関する前記コンテンツである場合には、前記撮像部が撮像した画像に当該所定アイテムの画像が含まれなくなった場合においても、前記コンテンツの表示を許可する
請求項１又は請求項２に記載の端末装置。
【請求項５】
撮像部と表示部とを備える端末装置のコンピュータに、
前記表示部に表示される表示順序を示す順序情報を書き換え可能に記憶する記憶部を備えアイテムであって、互いの表示順序が予め定められている複数のコンテンツが関連付けられている所定アイテムの画像が、前記撮像部が撮像した画像に含まれる場合に、前記所定アイテムの画像を表示マーカーとして認識するマーカー認識ステップと、
前記順序情報が含まれ前記所定アイテムを識別する識別情報を当該所定アイテムから取得する識別情報取得ステップと、
前記識別情報取得ステップにおいて取得される前記識別情報に基づいて、コンテンツ記憶部から前記所定アイテムに関連付けられたコンテンツを取得するコンテンツ取得ステップと、
前記マーカー認識ステップにおける前記表示マーカーの認識結果と、前記識別情報取得ステップにおいて取得される前記識別情報とに基づいて、前記コンテンツ取得ステップにおいて取得される前記コンテンツの表示可否を判定する表示判定ステップと、
前記表示判定ステップにおける判定結果と、前記識別情報取得ステップにおいて取得された前記識別情報に含まれる前記順序情報が示す複数の前記コンテンツの前記表示順序とに基づいて、前記コンテンツ取得ステップにおいて取得された前記コンテンツを前記表示部に表示させる表示制御ステップと、
前記識別情報取得ステップにおいて取得される前記識別情報に含まれる前記順序情報を更新した更新後順序情報を、前記所定アイテムに対して送信することにより前記記憶部に更新後の前記順序情報として記憶させる順序情報更新ステップと、
を実行させるためのプログラム。
【手続補正２】
【補正対象書類名】明細書
【補正対象項目名】０００５
【補正方法】変更
【補正の内容】
【０００５】
本発明の一実施形態は、撮像部と、表示画面を備える表示部と、前記表示部に表示される表示順序を示す順序情報を書き換え可能に記憶する記憶部を備えるアイテムであって、互いの表示順序が予め定められている複数のコンテンツが関連付けられている所定アイテムの画像が、前記撮像部が撮像した画像に含まれる場合に、前記所定アイテムの画像を表示マーカーとして認識するマーカー認識部と、前記順序情報が含まれ前記所定アイテムを識別する識別情報を当該所定アイテムから取得する識別情報取得部と、前記識別情報取得部が取得する前記識別情報に基づいて、コンテンツ記憶部から前記所定アイテムに関連付けられたコンテンツを取得するコンテンツ取得部と、前記マーカー認識部による前記表示マーカーの認識結果と、前記識別情報取得部が取得する前記識別情報とに基づいて、前記コンテンツ取得部が取得する前記コンテンツの表示可否を判定する表示判定部と、前記表示判定部の判定結果と、前記識別情報取得部が取得した前記識別情報に含まれる前記順序情報が示す複数の前記コンテンツの前記表示順序とに基づいて、前記コンテンツ取得部が取得した前記コンテンツを前記表示部に表示させる表示制御部と、前記識別情報取得部が取得する前記識別情報に含まれる前記順序情報を更新した更新後順序情報を、前記所定アイテムに対して送信することにより前記記憶部に更新後の前記順序情報として記憶させる順序情報更新部と、を備える端末装置である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明の一実施形態は、撮像部と表示部とを備える端末装置のコンピュータに、前記表示部に表示される表示順序を示す順序情報を書き換え可能に記憶する記憶部を備えアイテムであって、互いの表示順序が予め定められている複数のコンテンツが関連付けられている所定アイテムの画像が、前記撮像部が撮像した画像に含まれる場合に、前記所定アイテムの画像を表示マーカーとして認識するマーカー認識ステップと、前記順序情報が含まれ前記所定アイテムを識別する識別情報を当該所定アイテムから取得する識別情報取得ステップと、前記識別情報取得ステップにおいて取得される前記識別情報に基づいて、コンテンツ記憶部から前記所定アイテムに関連付けられたコンテンツを取得するコンテンツ取得ステップと、前記マーカー認識ステップにおける前記表示マーカーの認識結果と、前記識別情報取得ステップにおいて取得される前記識別情報とに基づいて、前記コンテンツ取得ステップにおいて取得される前記コンテンツの表示可否を判定する表示判定ステップと、前記表示判定ステップにおける判定結果と、前記識別情報取得ステップにおいて取得された前記識別情報に含まれる前記順序情報が示す複数の前記コンテンツの前記表示順序とに基づいて、前記コンテンツ取得ステップにおいて取得された前記コンテンツを前記表示部に表示させる表示制御ステップと、前記識別情報取得ステップにおいて取得される前記識別情報に含まれる前記順序情報を更新した更新後順序情報を、前記所定アイテムに対して送信することにより前記記憶部に更新後の前記順序情報として記憶させる順序情報更新ステップと、を実行させるためのプログラムである。